(57)【要約】【課題】作業効率を向上させたアース接続構造、並びに、これを用いた電装品箱及び空気調和機を提供すること。【解決手段】本発明に係るアース接続構造は、アース端子用ネジ（３４）の頭部と被接地部（３３）との間にカップ座金（４０）を装着する。カップ座金（４０）は、被接地部（３３）の面に沿う本体部（４１）と、本体部（４１）の反被接地部側の外周部に形成された円筒状立上部（４２）と、本体部（４１）の被接地部側に形成された回り止め部（４３）を有し、回り止め部（４３）を被接地部（３３）に形成された係合穴（３７）に係合させる。カップ座金（４０）は、円筒状立上部（４２）の一部にアース線（３５）を挿通可能とする切欠開口部（４２ａ）を有する。そして、アース線（３５）の端部の導電線（３５ａ）を切欠開口部（４２ａ）から円筒状立上部（３２）の内部に導入し、アース端子用ネジ（３４）に巻き付ける。【選択図】図７
2013214419.tif 000002
【特許請求の範囲】
【請求項１】
アース端子用ネジ（３４）の頭部と被接地部（３３）との間にカップ座金（４０）が装着され、
このカップ座金（４０）は、被接地部（３３）の面に沿う円盤状板部から成る本体部（４１）と、本体部（４１）の反被接地部側の外周部に形成された円筒状立上部（４２）と、円筒状立上部（４２）に形成された、アース線（３５）を挿通可能とする切欠開口部（４２ａ）とを有し、
前記アース線（３５）は、この切欠開口部（４２ａ）を介し前記円筒状立上部（４２）の内部に引き込まれるとともに、前記円筒状立上部（４２）の内部において、端部の導電線（３５ａ）が前記アース端子用ネジ（３４）に巻き付けられるように構成されたアース接続構造であって、
前記カップ座金（４０）は、被接地部側に回り止め部（４３）を突出させるとともに、被接地部（３３）には前記回り止め部（４３）を係合させる係合穴（３７）が形成されている
ことを特徴とするアース接続構造。
【請求項２】
請求項１記載のアース接続構造において、
前記カップ座金（４０）は、板金プレス加工により形成されたものであって、その円周方向において前記切欠開口部（４２ａ）と同一の角度位置に前記回り止め部（４３）が曲げ加工されている
ことを特徴とするアース接続構造。
【請求項３】
電子機器を収納する電装品箱（３０）であって、電装品箱（３０）を形成するケース部材（３０ａ）を被接地部（３３）として、請求項１又は２記載のアース接続構造が適用されている
ことを特徴とする電装品箱。
【請求項４】
請求項３記載の電装品箱において、
当該電装品箱（３０）を形成するケース部材（３０ａ）にアース線（３５）を引き込む引き込み開口部（３９）が設けられており、
前記カップ座金（４０）の切欠開口部（４２ａ）がこの引き込み開口部（３５）の方向を向くように取り付けられている
ことを特徴とする電装品箱。
【請求項５】
請求項３又は４記載の電装品箱（３０）が用いられていることを特徴とする空気調和機。
【発明の詳細な説明】
【技術分野】
【０００１】
本発明は、アース線を接続するアース接続構造に関する。また、本発明は、このアース接続構造を用いた電装品箱およびこの電装品箱を用いた空気調和機に関する。
【背景技術】
【０００２】
一般に、空気調和機におけるアース接続構造は、電源端子台やその他の電子機器が取り付けられている板金製の電装品箱のケース部材をアース線で接地するというものである。その一例が特許文献１に記載されている。このアース接続構造は、図８に示すように、空気調和機の電装品箱ケース部材を接地するものであって、電装品箱内にアース用導電ターミナル１０１を有する端子台１０２を設けている。このアース用導電ターミナル１０１は、機内アース線１０３を接続する機内側アース線接続端子１０４と機外アース線１０５を接続する機外側アース線接続端子１０６とを有する。そして、機内側アース線接続端子１０４には、電装品箱を形成する板金製のケース部材（この文献ではシャーシと称されている）１０７と端子台１０２とを接続する機内アース線１０３が接続され、機外側アース線接続端子１０６には機外アース線１０５が取り付けられている。以下これを従来技術１と称する。
【０００３】
また、他のアース接続構造として特許文献２に記載されたものがある。このアース接続構造は、図９に示すように、アース線１１１の端部の導電線に圧着端子１１２を取り付け、この圧着端子１１２をアース端子用ネジ１１３により端子台取付板１１４に取り付けて固定するものである。なお、特許文献２における端子台取付板１１４は、従来技術１におけるシャーシに相当する。以下これを従来技術２と称する。
【０００４】
また、他のアース接続構造として、この従来技術２から派生するものがある。このアース接続構造は、その一例を図１０に示すように、従来技術２において、アース線１１１の端部の導電線１１１ａに圧着端子を取り付けることを省略したものである。すなわち、このアース接続構造は、端子台取付板１１４に取り付けられるアース端子用ネジ１１３のネジ部にアース線１１１の端部の導電線１１１ａを直接巻き付けて、アース端子用ネジ１１３の頭部と端子台取付板１１４との間にアース線１１１を固定するものである。以下これを従来技術３と称する。このアース接続構造は、特に文献を明示しないが従来慣用されている。なお、図１０には、図９と共通する部分に同一の符号を付している。
【０００５】
また、更なる他のアース接続構造として、従来技術３から派生するものがある。このアース接続構造は、図１１（ａ）〜（ｃ）に示すように、アース端子用ネジ１１３の頭部と端子台取付板１１４の表面との間にカップ座金１２０を装着するものである。カップ座金１２０は、同図（ｂ）に示すように、被接地部の表面に沿う円盤状板部から成る本体部１２１と、本体部１２１の中央部に設けられたネジ挿通用孔１２２と、本体部１２１の反被接地部側の外周に円筒状立上壁１２３とを有するものである。ここで、「被接地部」は、接地されるべき端子台取付板１１４におけるアース端子用ネジ１１３が取り付けられる部分をいう。また、「本体部１２１の反被接地部側」とは、本体部１２１の端子台取付板１１４に面しない側をいう。また、円筒状立上壁１２３には、アース線１１１を挿通可能とする切欠開口部１２４が設けられている。そして、このアース接続構造では、図１１（ｃ）に示すように、円筒状立上壁１２３の中でアース線１１１をアース端子用ネジ１１３のネジ部に巻き付けるようにしている。以下これを従来技術４と称する。なお、このアース接続構造は、近年実用化されているが文献を見つけることができない。
【先行技術文献】
【特許文献】
【０００６】
【特許文献１】特開２００７−３５４５７号公報
【特許文献２】特開２０００−３５３５５５号公報
【発明の概要】
【発明が解決しようとする課題】
【０００７】
ところで、従来技術１は、アース線を使ってシャーシを接地する場合、機外アース線１０５を機外側アース線接続端子１０６に接続するとともに、機内側アース線接続端子１０４に機内アース線１０３を接続し、機内アース線１０３の他端をアース端子用ネジ１０８によりケース部材１０７に接続する必要がある。このため、作業性が悪いという問題があった。また、このアース接続構造は、機外アース線１０５以外に機内アース線１０３を必要とするとともに端子台１０２を必要とするため、コスト低減の余地を残していた。
【０００８】
また、従来技術２は、従来技術１と比較するとアース線１１１としては単一のものでよく、機外アース線と機内アース線とに区別されたアース線を不要とするため、作業が楽になるとともにコストも低減される。しかしながら、このアース接続構造は、アース線１１１の先端に圧着端子１１２を取り付けることが必要であるため、作業者が圧着端子１１２を所持していない場合に接地できないという問題があった。また、圧着端子１１２の取り付けが面倒であるという問題もあった。
【０００９】
従来技術３は、従来技術２におけるこのような問題に鑑み簡易的に行われるようになったものである。しかしながら、このアース接続構造の場合は、アース線１１１として撚り線が用いられたときに、図１０に示すように、撚られていた導電線１１１ｂが解け、解けた導電線１１１ｂがアース端子用ネジ１１３の頭部から外へ食み出し、隣接する電気部品等に触れる恐れがあった。
【００１０】
従来技術４は、このような導電線の食み出しを防止するために使用されるようになってきたもので、解けた撚り線が円筒状立上壁１２３の中でアース端子用ネジ１１３に巻き詰められている。このため、解けた撚り線も円筒状立上壁１２３に留められ、その食み出しが防止される。しかしながら、カップ座金１２０を仮付けして製品を出荷する場合、このカップ座金１２０の円筒状立上壁１２３における切欠開口部１２４が一定の方向を向くように取り付けることができないという問題があった。図１１（ａ）はこれを示している。図１１（ａ）においては、カップ座金１２０の円筒状立上壁１２３における切欠開口部１２４の向きが、電装品箱のアース線取り出し口１１５の方向ではなく他の機器１１６の方向を向くように仮付けされている。仮付け方向がこのように本来の向きと異なっていると、アース線取り付け作業者に対し誤った判断を起こさせる原因となる。例えば、作業者は、カップ座金１２０の仮付け方向を維持してアース線１１１を接続する必要があると勘違いし、同図（ｃ）に示すように、態々アース線１１１をアース線取り出し口１１５とは異なる方向に向けて接続し、アース線取り出し口１１５からアース線１１１を曲げて引き込むようにすることがある。このような作業は、作業性が悪く体裁もよくない。
【００１１】
本発明は、このような従来技術の問題に鑑みなされたもので、作業効率を向上させたアース接続構造、並びに、これを用いた電装品箱及び空気調和機を提供することを目的とする。
【課題を解決するための手段】
【００１２】
本発明は上記課題を解決するものであって、請求項１に記載の発明に係るアース接続構造は、アース端子用ネジの頭部と被接地部との間にカップ座金が装着され、このカップ座金は、被接地部の面に沿う円盤状板部から成る本体部と、本体部の反被接地部側の外周部に形成された円筒状立上部と、円筒状立上部に形成された、アース線を挿通可能とする切欠開口部とを有し、前記アース線は、この切欠開口部を介し前記円筒状立上部の内部に引き込まれるとともに、前記円筒状立上部の内部において、端部の導電線が前記アース端子用ネジに巻き付けられるように構成されたアース接続構造であって、前記カップ座金は、被接地部側に回り止め部を突出させるとともに、被接地部には前記回り止め部を係合させる係合穴が形成されていることを特徴とする。
【００１３】
ここで、「被接地部」とは、接地される対象物においてアース線を接続する部分をいう。また、「被接地部側」とは、前記カップ座金における本体部の被接地部の表面に面する側をいう。また、「本体部の反被接地部側とは、前記カップ座金における本体部の被接地部の表面に面しない側をいう。
【００１４】
上記構成によれば、カップ座金は、回り止め部が被接地部に形成されている係合穴に係合しているので、この係合穴を位置決めすることによりカップ座金の切欠開口部を常に一定の方向に向けることができる。したがって、作業者は、カップ座金の向きについて注意を払うことなくアース線を取り付けることにより、アース線を所定の方向に取り出すことができるので、アース線の接続作業の効率化を図ることができる。また、カップ座金の向きが安定しているので、このアース接続構造を用いた製品に対する信頼性が向上する。また、回り止め部を係合穴に係合させることにより、カップ座金の回転を防止することができるので、アース端子用ネジの緩みを抑制することができる。
【００１５】
また、請求項２記載の発明は、請求項１記載のアース接続構造において、前記カップ座金は、板金プレス加工により形成されたものであって、その円周方向において前記切欠開口部と同一の角度位置に前記回り止め部が曲げ加工されていることを特徴とする。
【００１６】
上記構成によれば、カップ座金の製作において、切欠開口部を形成するときに不要となる材料部分を利用して回り止め部を形成することができる。したがって、材料の歩留まりが向上する。また、切欠開口部のプレス加工および回り止め部をプレス加工することができるので、カップ座金のコスト軽減および製作作業性の効率化を図ることができる。
【００１７】
請求項３に記載の発明に係る電装品箱は、電子機器収納用の電装品箱であって、電装品箱を形成するケース部材を被接地部として、請求項１又は２記載のアース接続構造が適用されていることを特徴とする。
【００１８】
上記構成によれば、カップ座金を仮付けして出荷する際に、カップ座金の切欠開口部の向きを予め設定している一定の方向に向けることができるので、製品の信頼性が向上する。また、作業者は迷わずにアース線の接続を所定の向きに接続することができるので作業性が向上する。また、カップ座金の回転が防止されるので、アース端子用ネジの緩みが抑制される。
【００１９】
請求項４に記載の発明は、請求項３記載の電装品箱において、当該電装品箱を形成するケース部材にアース線を引き込む引き込み開口部が設けられており、前記カップ座金の切欠開口部がこの引き込み開口部の方向を向くように取り付けられていることを特徴とする。
【００２０】
上記構成によれば、アース端子用ネジに接続するアース線を直線的に引き込み開口部から引き込むことができる。したがって、電装品箱内の配線が簡素化される。
請求項５に記載の空気調和機に係る発明は、請求項３又は４記載の電装品箱が用いられていることを特徴とする。
【００２１】
このような電装品箱を用いると、空気調和機の現地据付の際のアース線接続作業の作業性が向上するとともに、製品の信頼性が向上する。
【発明の効果】
【００２２】
本発明によれば、カップ座金の切欠開口部を一定の方向に向けることができるとともに、その回転が防止される。したがって、アース線接続作業の作業性が向上するとともに、このアース接続構造を用いた製品の信頼性が向上する。また、カップ座金の回転が防止されるので、アース端子用ネジの緩みを抑制することができる。
【図面の簡単な説明】
【００２３】
【図１】本発明の実施の形態１に係る空気調和機を前方から見た斜視図であって、前面下方の吸込みグリルを取り外した状態図である。
【図２】同空気調和機の側面方向から見た概略機器配置図である。
【図３】同空気調和機における電装品箱の拡大斜視図である。
【図４】図３におけるアース接続構造を拡大して示した図である。
【図５】図４におけるアース端子用ネジ周りを示す図であって、（ａ）は拡大斜視図であり、（ｂ）はアース線のみの拡大斜視図である。
【図６】同５におけるカップ座金および被接地部の拡大分解斜視図である。
【図７】図５におけるアース端子用ネジ周りの断面図である。
【図８】従来例に係るアース接続構造を示した断面図である。
【図９】他の従来例に係るアース接続構造を示した斜視図である。
【図１０】更なる他の従来例に係るアース接続構造を示した斜視図である。
【図１１】更なる他の従来例に係るアース接続構造を示した斜視図であって、（ａ）はカップ座金仮付け状態の一例であり、（ｂ）はカップ座金の斜視図であり、（ｃ）はアース線を接続した状態の一例である。
【発明を実施するための形態】
【００２４】
（実施の形態１）
以下本発明の実施の形態を、図１〜図７を参照しながら説明する。
実施の形態１に係る空気調和機の概略構造を図１に基づき説明する。この実施の形態に係る空気調和機は、分離型空気調和機の床置型室内ユニットである。
【００２５】
この空気調和機は、図１および図２に示すように、底フレーム１１を基礎構成部材としたケーシング１０を備えている。そして、ケーシング１０は、次のような部品から構成されている。ケーシング１０は、底フレーム１１の両側に下端が取り付けられた側板１２、背面に取り付けられた裏板１３、天面に取り付けられた天板１４、前面上方の吹出グリル１５、前面中央の前面パネル１６、前面下方の吸込みグリル１７などを構成部品としている。吹出グリル１５は、水平羽根１５ａとその背部に配置された垂直羽根１５ｂとを備えている。前面パネル１６および吸込みグリル１７は。側板１２の前面に対し着脱自在に取り付けられている。
【００２６】
また、この空気調和機は、送風機としてのシロッコファン２１、室内側熱交換器２２、ドレンパン２３、電装品箱３０などをケーシングの内部に収納している。これら部品は、図２に示すように配置されている。
【００２７】
すなわち、シロッコファン２１は、吸込みグリル１７側にファン吸込口を向け、このファン吸込口から吸入した空気を上方に吹き出すようにケーシング１０の下方に配置されている。
【００２８】
室内側熱交換器２２は、シロッコファン２１の吹出側、すなわち、このシロッコファン２１の上方に配置されている。また、室内側熱交換器２２は、下端が前面側となり、上端が背面側となるように傾斜させて取り付けられている。
【００２９】
ドレンパン２３は、室内側熱交換器２２の下端から滴下するドレン水を受けるように配置されている。
電装品箱３０は、吸込みグリル１７の上部背面側において、すなわちドレンパン２３の下方において、左右方向略全域に亘るように配置されている。
【００３０】
電装品箱３０は、鉄板等の金属板をケース部材３０ａとして、内部に電子機器を収納したものである。電装品箱３０のケース部材３０ａは、図１および図３に示すように、前面から見た右側端部に、後方の底部を底上げするとともに左側が後方へ傾く斜面が形成されている。そして、この斜面に電源端子台３１、および室内外ユニット間の制御用渡り配線を接続する制御線端子台３２が取り付けられている。
【００３１】
また、これら端子台の右側のケース部材３０ａを被接地部３３として、アース端子用ネジ３４が取り付けられている。アース端子用ネジ３４は、アース線３５の被覆を剥がした端部の導電線３５ａが巻きつけられるものである。また、このアース端子用ネジ３４としては座付きタッピングネジが使用されている。この空気調和機は、このアース端子用ネジ３４により電装品箱３０が接地されている。
【００３２】
この実施の形態において、電装品箱３０を接地するアース接続構造は、アース線３５として撚り線が用いられても支障が出ないように配慮されたもので、図４および図５に示すように、被接地部側に回り止め部４３を形成したカップ座金４０が使用されて構成されている。
【００３３】
カップ座金４０は、図６に示すように、板金プレス加工により形成されたものであって、円盤状板部から成る本体部４１と、この本体部４１の反被接地部側の外周部に形成された円筒状立上部４２と、その裏側、すなわち被接地部側に形成された回り止め部４３とを備えている。
【００３４】
なお、この実施の形態において「被接地部３３」とは、電装品箱３０のケース部材３０ａにおけるアース線３５を接続する部分をいう。また、「被接地部側」とは、カップ座金４０における本体部４１の被接地部３３の表面に面する側をいう。また、「本体部４１の反被接地部側」とは、カップ座金４０における本体部４１の被接地部３３の表面に面しない側をいう。
【００３５】
本体部４１は、電装品箱３０における被接地部３３の表面に密接される。本体部４１の中心部には、アース端子用ネジ３４を挿通するネジ挿通孔４１ａが形成されている。
円筒状立上部４２は、アース端子用ネジ３４に巻きつけられるアース線３５の端部の導電線３５ａが、半径方向外側に拡がってアース端子用ネジ３４の頭部の外側に食み出すことを防止するためのものである。また、この円筒状立上部４２には、アース線３５の端部を導入するための切欠開口部４２ａが形成されている。
【００３６】
回り止め部４３は、円周方向において切欠開口部４２ａと同一の角度位置に形成されているものであって、切欠開口部４２ａを切り欠くことにより不要となる板部分を裏側に折り返すことにより形成されたものである。回り止め部４３は、アース線３５の接続方向と直交する方向に平面を成す平板状として下方に折り曲げられて形成されている。
【００３７】
本実施の形態に係るアース接続構造は、上記カップ座金４０を使ってアース線３５をアース端子用ネジ３４により電装品箱３０を接地する。このために、電装品箱３０の被接地部３３には、図６に示すように、カップ座金４０を固定する状態時のネジ挿通孔４１ａに対応する位置に、アース端子用ネジ３４としての座付きタッピングネジの下孔３６が形成されている。座付きタッピングネジの下孔３６としてはバーリング加工された孔が用いられている。また、電装品箱３０における被接地部３３には、図６に示すように、カップ座金４０を固定する状態における回り止め部４３に対応する位置に、平板状の回り止め部４３を係合させるための、細長長方形の係合穴３７が形成されている。
【００３８】
本実施の形態に係るアース接続構造は、図７に示されるように、アース端子用ネジ３４としての座付きタッピングネジにアース線３５の端部の導電線３５ａを巻き付け、この座付きタッピングネジをカップ座金４０を介し電装品箱３０の下孔３６に捻じ込む。このとき、カップ座金４０の回り止め部４３を係合穴３７に係合させるようにしたものである。
【００３９】
本実施の形態における電装品箱は、上記のように構成されたアース接続構造を用いたものであって、図４に示すように、アース端子用ネジ３４の取り付け位置の上部には、アース線接続位置を示すマーク３８が描かれている。また、電装品箱３０には、この電装品箱３０からアース線３５を引き出すための引き込み開口部３９が設けられている。また、電装品箱３０に形成される係合穴３７は、カップ座金４０を取り付けたときに切欠開口部４２ａが引き込み開口部３９を向くようにその位置が設定されている。
【００４０】
引き込み開口部３９は、図４に示されるように、電装品箱３０の側壁の一部分を外側に折り曲げることにより形成される切欠である。したがって、この引き込み開口部３９の形成と同時にこの切欠に連続する折り曲げ片が形成される。この折り曲げ片は、電線受部３９ａとして利用されている。そして、この電線受部３９ａには、引き込み開口部３９を通じて内部に引き込む電線を固定するための止め具３９ｂが取り付けられている。引き込み開口部３９を通じて引き込まれる電線としては、アース線３５以外に電源端子台３１に接続される電源用電線が含まれる。
【００４１】
次に、以上のように構成された本実施の形態に係るアース接続構造についての作用を説明する。
このアース接続構造を形成する前提として、このようなアース接続構造を利用した空気調和機は、カップ座金４０が仮付けされた状態で出荷される。カップ座金４０の仮付けは、電装品箱３０の斜面上における所定位置にカップ座金４０を載置し、このカップ座金４０のネジ挿通孔４１ａを通してアース端子用ネジ３４を仮止めするものである。また、この仮止めの際、回り止め部４３が係合穴３７に係合するように載置される。したがって、カップ座金４０の取り付け方向が一定となるとともに、切欠開口部４２ａが引き込み開口部３９を向くようになる。
【００４２】
次に、このような状態で出荷された空気調和機が据え付けられるときには、据付業者が持参したアース線３５を用いてこの空気調和機の接地が行われる。このとき、アース端子の所在位置を示すマーク３８が描かれているので、アース線３５を接続すべきアース端子を容易に見つけることができる。
【００４３】
据付業者が持参するアース線３５として適正な太さの単線が用意されるとは限らず、撚り線が用いられることがあり得る。このとき撚り線の端部の被覆を剥がした導電線３５ａが、カップ座金４０の円筒状立上部４２内においてアース端子用ネジ３４のネジ部に巻きつけられる。カップ座金４０を使用しない場合には、図１０に示すように導電線の一部の線がアース端子として機能するネジの頭部の外周から径方向外側に食み出すが、この実施の形態の場合は円筒状立上部４２によりこのような食み出しが防止される。
【００４４】
また、据付作業者がアース線３５を取り付ける場合において、カップ座金４０の仮付けの取付方向が常に一定となっているとともに、アース線３５の取付後の方向も必ずこれと同一方向にしかなり得ないので、据付作業者は、アース線３５をどの方向に引き出せばよいかについて何ら考える必要がない。
【００４５】
また、切欠開口部４２ａが引き込み開口部３９を向くようにカップ座金の取付方向が定められているので、据付作業者は、アース線３５を引き込み開口部３９から直線的にアース端子用ネジ３４に向けて引き込むことができる。また、電装品箱３０内へ引き込まれるアース線３５は、電源端子台３１に接続される配線とともに、電線受部３９ａにおいて止め具３９ｂによりしっかりと固定される。
【００４６】
このようにして取り付けられたアース線３５は、カップ座金４０が回転しない構造に形成されているので、振動等によりアース端子用ネジ３４が緩むようなことが抑制される。また、アース線３５は、引き込み開口部３９から直線的に引き込まれるとともに、電線受部３９ａにおいて止め具３９ｂによりしっかりと固定されているので、より一層アース端子用ネジ３４による締付け部の緩みが抑制される。
【００４７】
本実施の形態に係る空気調和機に用いられるアース接続構造は、以上のように構成されているので、次のような効果を奏することができる。
（１）カップ座金４０の回り止め部４３が被接地部３３に形成されている係合穴３７に係合しているので、この係合穴３７を位置決めすることによりカップ座金４０の切欠開口部４２ａを常に一定の方向に向けることができる。
【００４８】
（２）カップ座金４０の向きが安定しているので、このアース接続構造を用いた製品に対する信頼性が向上する。
（３）回り止め部４３を係合穴３７に係合させることにより、カップ座金４０の回転を防止することができ、アース端子用ネジ３４の緩みを抑制することができる。
【００４９】
（４）カップ座金４０は、板金プレス加工により形成されたものであって、その円周方向において切欠開口部４２ａと同一の角度位置に回り止め部４３が折り曲げ加工されている。したがって、切欠開口部４２ａを形成するときに不要となる材料部分を利用して回り止め部４３を形成することができる。この結果、材料の歩留まりが向上する。また、切欠開口部４２ａおよび回り止め部４３をプレス加工することができるので、カップ座金４０のコスト軽減および製作作業性の効率化を図ることができる。
【００５０】
また、本発明に係る電装品箱は、次のような効果を奏することができる。
（５）電装品箱３０を形成するケース部材３０ａを被接地部３３として前記記載のアース接続構造が適用されているので、カップ座金４０の切欠開口部４２ａの向きを予め設定している一定の方向に向けることができ、製品の信頼性が向上する。また、これにより、作業者は迷わずにアース線３５の接続を所定の向きに接続することができる。また、カップ座金４０の回転が防止されるので、アース端子用ネジ３４の緩みを抑制することができる。
【００５１】
（６）電装品箱３０には、アース線３５を引き込む引き込み開口部３９が設けられており、カップ座金４０の切欠開口部４２ａがこの引き込み開口部３９を向くように取り付けられている。したがって、アース線３５を直線的に引き込み開口部３９から引き込むことができ、これにより電装品箱３０内の配線が簡素化される。
【００５２】
また、本発明に係る空気調和機は、次のような効果を奏することができる。
（７）本発明に係る空気調和機は、上述の電装品箱３０を用いているので、空気調和機の現地据付の際のアース接続作業の作業性が向上するとともに、製品の信頼性が向上する。
【００５３】
（変形例）
本発明に係るアース接続構造は、上記実施の形態に限定されることなく、以下の変形例も適用可能である。また、以下の変形例については、異なる変形例同士を適宜互いに組み合わせて、適用してもよい。
【００５４】
・前記実施の形態において、アース接続構造は、空気調和機の電装品箱３０に用いられていたが、本発明は他の製品に適用することもできる。また、空気調和機に用いられる場合においても、電装品箱３０内に限らず接地に適した場所において適宜適用することができる。
【００５５】
・前記実施の形態においては、カップ座金４０は板金プレス加工により形成されたものを例として記載しているが、本発明はこのような加工方法に限定されるものではない。
・前記実施の形態においては、アース端子用ネジ３４として座付きタッピングネジを使用しているが座付きでないタッピングネジを使用してもよい。また、この場合タッピングネジの頭部の下面に接するように平座金を用いてもよい。
【００５６】
・また、本発明に係るアース接続構造は、アース端子用ネジ３４としてタッピングネジではなく一般的な小ネジを用いてもよい。この場合被接地部３３にはタッピングネジの下孔３６に代えてネジ孔を形成すればよい。
【００５７】
・前記実施の形態においては、カップ座金４０における回り止め部４３は、アース線３５の接続方向と直交する方向に平面を成す平板状として形成されていたが、本発明に係るカップ座金４０における回り止め部４３は、このような形状に限定されるものではなく他の適宜の形状としてもよい。
【００５８】
・前記実施の形態に係る電装品箱３０は、引き込み開口部３９において、電源端子台３１に接続される電源用電線と一緒にアース線３５が止め具３９ｂにより固定されていたが、本発明に係る電装品箱３０は、このようなものに限定されるものではなくアース線３５を単独で固定するようにしてもよいことは勿論である。
【００５９】
・前記実施の形態に係る空気調和機は、分離型空気調和機における室内ユニットであったが、本発明に係る空気調和機は、このような室内ユニットに限定されるものではなく、室外ユニットや一体型空気調和機であっても同様でよい。
【符号の説明】
【００６０】
３０…電装品箱、３０ａ…ケース部材、３３…被接地部、３４…アース端子用ネジ、３５…アース線、３５ａ…導電線、３７…係合穴、３９…引き込み開口部、４０…カップ座金、４１…本体部、４２…円筒状立上部、４２ａ…切欠開口部、４３…回り止め部。
【図１】
2013214419.tif 000003
【図２】
2013214419.tif 000004
【図３】
2013214419.tif 000005
【図４】
2013214419.tif 000006
【図５】
2013214419.tif 000007
【図６】
2013214419.tif 000008
【図７】
2013214419.tif 000009
【図８】
2013214419.tif 000010
【図９】
2013214419.tif 000011
【図１０】
2013214419.tif 000012
【図１１】
2013214419.tif 000013